(57)【要約】      （修正有）【課題】装着時に頭部の一部に生じる痛みが緩和される人間工学に基づくヘッドホンを提供する。【解決手段】アーチ型ホルダ１と、音声出力モジュール２及び挟持部３を含み、アーチ型ホルダは弾性を有し、音声出力モジュールはアーチ型ホルダの末端に位置し、挟持部の数は２以上で、挟持部はアーチ型ホルダ上に位置し、挟持部の接触部分がアーチ型ホルダのアーチ内に位置する。【選択図】図３
2017139721.tif 000002
【特許請求の範囲】
【請求項１】
人間工学に基づくヘッドホンであって、アーチ型ホルダ（１）と、音声出力モジュール（２）及び挟持部（３）を含み、アーチ型ホルダ（１）は弾性を有し、音声出力モジュール（２）はアーチ型ホルダ（１）の末端に位置し、挟持部（３）の数は２以上で、挟持部（３）はアーチ型ホルダ（１）上に位置し、挟持部（３）の接触部分がアーチ型ホルダ（１）のアーチ内に位置することを特徴とするヘッドホン。
【請求項２】
挟持部（３）とアーチ型ホルダ（１）はスライド可能に接続されており、挟持部（３）はアーチ型ホルダ（１）に沿ってスライド可能であることを特徴とする請求項１に記載の人間工学に基づくヘッドホン。
【請求項３】
挟持部（３）の高さが調整可能であることを特徴とする請求項１に記載の人間工学に基づくヘッドホン。
【請求項４】
音声出力モジュール（２）は、空気を主な伝達媒体とするスピーカーを有していることを特徴とする請求項１に記載の人間工学に基づくヘッドホン。
【請求項５】
音声出力モジュール（２）は、骨の振動を主な伝達媒体とする骨伝導デバイスを有していることを特徴とする請求項１に記載の人間工学に基づくヘッドホン。
【請求項６】
人間工学に基づくヘッドホンであって、
アーチ型ホルダ（１）と、音声出力モジュール（２）及び挟持部（３）を含み、アーチ型ホルダ（１）は弾性を有し、音声出力モジュール（２）はアーチ型ホルダ（１）の末端に位置し、挟持部（３）の数は２以上で、挟持部（３）はアーチ型ホルダ（１）上に位置し、挟持部（３）における接触部分がアーチ型ホルダ（１）のアーチ内に位置し、
挟持部（３）は、回転つまみ（３１）、回転つまみロッド（３１１）、回転つまみ回動部（３１３）、ホルダ接続板（３２）、ガイドロッド（３３）及び接触部（３４）を備え、
挟持部（３）に含まれる回転つまみ（３１）、回転つまみロッド（３１１）及び回転つまみ回動部（３１３）はいずれも回転軸を備え、
挟持部（３）に含まれるガイドロッド（３３）は円柱状であり、
挟持部（３）に含まれる回転つまみロッド（３１１）上には雄ねじ（３１２）が設けられ、
挟持部（３）に含まれるホルダ接続板（３２）は板状であり、ホルダ接続板（３２）の中央には板面を上下に貫通するねじ孔（３２２）が設けられ、ねじ孔（３２２）の雌ねじが回転つまみロッド（３１１）上の雄ねじ（３１２）と螺合し、ねじ孔（３２２）の周囲にガイド孔（３２１）が設けられ、ガイド孔（３２１）の軸線とねじ孔（３２２）の軸線が平行であり、更に、ホルダ接続板３２には側面を貫通するスライド接続孔（３２３）が備えられ、
挟持部（３）に含まれるガイドロッド（３３）の直径は、挟持部（３）に含まれるホルダ接続板（３２）のガイド孔（３２１）よりも小さく、
挟持部（３）に含まれる接触部（３４）は、挟持部（３）に含まれる回転つまみ回動部（３１３）を回転可能に接続するための回転接続部（３４０）を備え、
挟持部（３）に含まれる回転つまみロッド（３１１）は、ホルダ接続板（３２）中央のねじ孔（３２２）を貫通し、
挟持部（３）に含まれる回転つまみ（３１）及び回転つまみ回動部（３１３）は回転つまみロッド（３１１）の両端に固定接続され、回転つまみ（３１）、回転つまみロッド（３１１）、及び回転つまみ回動部（３１３）は回転軸を共有しており、
挟持部（３）に含まれる回転つまみ回動部（３１３）は、挟持部（３）に含まれる接触部（３４）が有する回転接続部（３４０）と同軸に対して回転可能に接続され、回転つまみ回動部（３１３）は、その回転軸を中心に自在に回動可能であり、
挟持部（３）に含まれるガイドロッド（３３）は、挟持部（３）に含まれるホルダ接続板（３２）におけるガイド孔（３２１）を貫通して接触部（３４）に固定接続され、挟持部（３）に含まれるガイドロッド（３３）の軸線と、挟持部（３）に含まれるホルダ接続板（３２）のねじ孔（３２２）の軸線が平行であり、
挟持部（３）は、挟持部（３）に含まれるホルダ接続板（３２）上のスライド接続孔（３２３）を介して、アーチ型ホルダ（１）にスライド可能に接続されることを特徴とするヘッドホン。
【発明の詳細な説明】
【技術分野】
【０００１】
本発明は電子製品である出力デバイスに関し、具体的には、人間工学に基づくヘッドホンに関するものである。
【背景技術】
【０００２】
従来のヘッドホンでは、主に、耳付近に位置するスピーカーハウジングを挟持点として、装着時に固定させている。しかし、１点に力が加わることから、数時間装着していると耳に痛みが生じるため、改良の余地があった。
【発明の概要】
【発明が解決しようとする課題】
【０００３】
本発明は、従来技術における課題に対し、人間工学基づくヘッドホンを提供することを目的とする。
【課題を解決するための手段】
【０００４】
本発明は、以下の技術内容を有する。
【０００５】
１．人間工学に基づくヘッドホンであって、アーチ型ホルダ（１）と、音声出力モジュール（２）及び挟持部（３）を含み、アーチ型ホルダ（１）は弾性を有し、音声出力モジュール（２）はアーチ型ホルダ（１）の末端に位置し、挟持部（３）の数は２以上であり、挟持部（３）はアーチ型ホルダ（１）上に位置し、挟持部（３）の接触部分がアーチ型ホルダ（１）のアーチ内に位置することを特徴とする。
【０００６】
２．上記１に記載の人間工学に基づくヘッドホンであって、挟持部（３）とアーチ型ホルダ（１）はスライド可能に接続されており、挟持部（３）はアーチ型ホルダ（１）に沿ってスライド可能であることを特徴とする。
【０００７】
３．上記１に記載の人間工学に基づくヘッドホンであって、挟持部（３）の高さが調整可能であることを特徴とする。
【０００８】
４．上記１に記載の人間工学に基づくヘッドホンであって、音声出力モジュール（２）は、空気を主な伝達媒体とするスピーカーを有していることを特徴とする。
【０００９】
５．上記１に記載の人間工学に基づくヘッドホンであって、音声出力モジュール（２）は、骨の振動を主な伝達媒体とする骨伝導デバイスを有していることを特徴とする。
【００１０】
６．人間工学に基づくヘッドホンにおいて、アーチ型ホルダ（１）と、音声出力モジュール（２）及び挟持部（３）を含み、アーチ型ホルダ（１）は弾性を有し、音声出力モジュール（２）はアーチ型ホルダ（１）の末端に位置し、挟持部（３）の数は２以上で、挟持部（３）はアーチ型ホルダ（１）上に位置し、挟持部（３）の接触部分がアーチ型ホルダ（１）のアーチ内に位置し、挟持部（３）は、回転つまみ（３１）、回転つまみロッド（３１１）、回転つまみ回動部（３１３）、ホルダ接続板（３２）、ガイドロッド（３３）、接触部（３４）からなり、挟持部（３）に含まれる回転つまみ（３１）、回転つまみロッド（３１１）、回転つまみ回動部（３１３）はいずれも回転軸を備え、挟持部（３）に含まれるガイドロッド（３３）は円柱状であり、挟持部（３）に含まれる回転つまみロッド（３１１）上には雄ねじ（３１２）が設けられ、挟持部（３）に含まれるホルダ接続板（３２）は板状であり、その中央には板面を上下に貫通するねじ孔（３２２）が設けられ、ねじ孔（３２２）の雌ねじが回転つまみロッド（３１１）上の雄ねじ（３１２）と良好に螺合し、ねじ孔（３２２）の周囲にガイド孔（３２１）が設けられ、ガイド孔（３２１）の軸線とねじ孔（３２２）の軸線が平行であり、更に、ホルダ接続板３２には側面を貫通するスライド接続孔（３２３）が備えられ、挟持部（３）に含まれるガイドロッド（３３）の直径は、挟持部（３）に含まれるホルダ接続板（３２）のガイド孔（３２１）よりも小さく、挟持部（３）に含まれる接触部（３４）は、挟持部（３）に含まれる回転つまみ回動部（３１３）を回転可能に接続するための回転接続部（３４０）を備え、挟持部（３）に含まれる回転つまみロッド（３１１）は、ホルダ接続板（３２）中央のねじ孔（３２２）を貫通し、挟持部（３）に含まれる回転つまみ（３１）及び回転つまみ回動部（３１３）は回転つまみロッド（３１１）の両端に固定接続され、回転つまみ（３１）、回転つまみロッド（３１１）及び回転つまみ回動部（３１３）は回転軸を共有しており、挟持部（３）に含まれる回転つまみ回動部（３１３）は、挟持部（３）に含まれる接触部（３４）が有する回転接続部（３４０）と同軸に回転可能に接続され、回転つまみ回動部（３１３）は、その回転軸を中心として自在に回動可能であり、挟持部（３）に含まれるガイドロッド（３３）は、挟持部（３）に含まれるホルダ接続板（３２）におけるガイド孔（３２１）を貫通して接触部（３４）に固定接続され、挟持部（３）に含まれるガイドロッド（３３）の軸線と、挟持部（３）に含まれるホルダ接続板（３２）のねじ孔（３２２）の軸線が平行であり、挟持部（３）は、挟持部（３）に含まれるホルダ接続板（３２）上のスライド接続孔（３２３）を介して、アーチ型ホルダ（１）にスライド可能に接続されることを特徴とする。
【発明の効果】
【００１１】
以下に、本発明の技術内容とその有益な効果について説明する。
【００１２】
従来技術に対して、本発明による可動式の挟持部の設計によれば、挟持点、即ち、ヘッドホンが人体を挟持する際に力の加わる点を変更できるという効果が奏される。そのため、ヘッドホンから耳への圧力が低減し、ヘッドホンの挟持に起因する耳の痛みが抑制される。
【００１３】
従来技術に対して、本発明の挟持部は可動式であるため、ヘッドホンを一定時間装着した後に不快感を感じた場合、使用者は挟持部を自在に移動させることで挟持点を変更することができる。これにより、ヘッドホンが頭部を挟持することに起因する部分的な頭痛の発生が抑制される（挟持点に痛みが生じるのは、ニューロン、血管、筋肉が長時間にわたり圧迫され続けることが主な原因である。そのため、挟持点を変えることにより頭部の力が加わる点を常に変化させれば、頭部の一点が圧迫され続けることがなくなり、挟持点においてニューロン、血管、筋肉が回復する時間を確保できる）。
【００１４】
挟持部のスライドについては、当業者が公知の技術常識と従来技術に基づき設計することができる。
【００１５】
また、挟持部の高さを調節する構造又は装置については、当業者が公知の技術常識と従来技術に基づき設計することができる。
【００１６】
本発明によれば、ヘッドホン装着時に挟持が原因で頭部の一部に痛みが生じる現象を抑制するという有益な効果が得られる。
【図面の簡単な説明】
【００１７】
【図１】本発明の一実施形態におけるヘッドホンの正面図である。
【図２】本発明の一実施形態におけるヘッドホンの側面図である。
【図３】本発明の一実施形態におけるヘッドホンを使用者の頭部に装着した状態を示す図である。
【図４】本発明の一実施形態におけるヘッドホンに含まれる挟持部を示す図である。
【発明を実施するための形態】
【００１８】
以下に、実施例を参照して本発明の実施形態について説明する。
【００１９】
図１〜４に示すように、本発明の一実施形態における人間工学に基づくヘッドホンは、アーチ型ホルダ１、音声出力モジュール２及び挟持部３を含むことを特徴とする。アーチ型ホルダ１は弾性を有し、音声出力モジュール２はアーチ型ホルダ１の末端に位置する。また、挟持部３の数は２以上である。挟持部３はアーチ型ホルダ１上に位置し、挟持部３における接触部分がアーチ型ホルダ１のアーチ内に位置する。
【００２０】
挟持部３とアーチ型ホルダ１はスライド可能に接続されている。挟持部３には、アーチ型ホルダ１に装着可能な孔が設けられており、挟持部３は、アーチ型ホルダ１に沿ってスライド可能である。
【００２１】
音声出力モジュール２は、空気を主な伝達媒体とするスピーカーを有している。
【００２２】
図４に示すように、挟持部３は、回転つまみ３１、回転つまみロッド３１１、回転つまみ回動部３１３、ホルダ接続板３２、ガイドロッド３３、接触部３４を備える。
【００２３】
挟持部３に含まれる回転つまみ３１、回転つまみロッド３１１、回転つまみ回動部３１３はいずれも回転軸を備える。
【００２４】
挟持部３に含まれるガイドロッド３３は円柱状である。
【００２５】
挟持部３に含まれる回転つまみロッド３１１上には雄ねじ３１２が設けられている。
【００２６】
挟持部３に含まれるホルダ接続板３２は板状であり、その中央には板面を上下に貫通するねじ孔３２２が設けられている。ねじ孔３２２の雌ねじは、回転つまみロッド３１１上の雄ねじ３１２と良好に螺合する。また、ねじ孔３２２の周囲にはガイド孔３２１が設けられ、ガイド孔３２１の軸線とねじ孔３２２の軸線は平行である。更に、ホルダ接続板３２には、側面を貫通するスライド接続孔３２３が備えられる。
【００２７】
挟持部３に含まれるガイドロッド３３の直径は、挟持部３に含まれるホルダ接続板３２のガイド孔３２１よりも小さい。
【００２８】
挟持部３に含まれる接触部３４は、挟持部３に含まれる回転つまみ回動部３１３を回転可能に接続するための回転接続部３４０を備える。
【００２９】
挟持部３に含まれる回転つまみロッド３１１は、ホルダ接続板３２の中央のねじ孔３２２を貫通する。
【００３０】
挟持部３に含まれる回転つまみ３１、回転つまみ回動部３１３は、回転つまみロッド３１１の両端に固定接続される。回転つまみ３１、回転つまみロッド３１１、回転つまみ回動部３１３は、回転軸を共有している。
【００３１】
挟持部３に含まれる回転つまみ回動部３１３は、挟持部３に含まれる接触部３４が有する回転接続部３４０と同軸に対して回転可能に接続される。回転つまみ回動部３１３は、その回転軸を中心に自在に回動可能である。
【００３２】
挟持部３に含まれるガイドロッド３３は、挟持部３に含まれるホルダ接続板３２のガイド孔３２１を貫通して接触部３４に固定接続される。挟持部３に含まれるガイドロッド３３の軸線と、挟持部３に含まれるホルダ接続板３２のねじ孔３２２の軸線は平行である。
【００３３】
挟持部３は、挟持部３に含まれるホルダ接続板３２上のスライド接続孔３２３を介して、アーチ型ホルダ１にスライド可能に接続される。
【００３４】
使用時に、使用者は回転つまみ３１を回転軸３１９の周りに回転させることで、同一のヘッドホンを異なる大きさの頭部に適応させるように挟持部３の高さを調節する。
【００３５】
第２の実施形態では、第１の実施形態を基に、大きさの異なる頭部に適応すべく、挟持部の高さを調整可能に変更した。
【００３６】
第３の実施形態では、第１の実施形態を基に、音声出力モジュール２に含まれるスピーカーを骨伝導出力デバイスに置き換えた。
【００３７】
以上は本発明の代表的な設計であって、本発明における保護の範囲を限定するものではない。なお、本明細書では、ヘッドホンを構成する従来技術（例えば、信号伝送路、音量制御ボタン、マイクの配置等）により解決可能な技術の詳細については言及していない。これらは、当業者であれば、従来技術と公知の常識に基づき、創造的活動を要さずとも設計可能なためである。
【図１】
2017139721.tif 000003
【図２】
2017139721.tif 000004
【図３】
2017139721.tif 000005
【図４】
2017139721.tif 000006